(57)【要約】【課題】本来ファクシミリ専用の処理であるファクシミリモード処理を実行するファクシミリ装置において、外付電話機が接続され、外部の電話機から回線を介した着信があった場合に、その着信を外付電話機で良好に受けられるようにすること。【解決手段】制御部としてのＡＳＩＣは、発呼信号を受信したとき、発呼トーン信号（ＣＮＧ信号）をモデム部が受信したか否かに拘わらず、被呼局識別信号（ＣＥＤ信号）及びディジタル識別信号（ＤＩＳ信号）を前記発呼側に送信するように前記モデムに対して指示し（Ｓ１５３）、前記モデム部が、前記発呼側が前記被呼局識別信号を受信した上で発信するディジタル命令信号（ＤＣＳ信号）を受信しない場合に（Ｓ１５４：Ｎ）、オフフック電流が検出されたとき（Ｓ１６２）、前記モデム部に対してＣＥＤ信号及びＤＩＳ信号の発信を停止するように指示する（Ｓ１７５）。【選択図】図３
2015195504.tif 000002
【特許請求の範囲】
【請求項１】
回線に接続可能なモデムと、
外付電話機が接続可能であって、前記回線に接続される通電経路を介して前記モデムと接続される電話接続端子と、
制御部と、
前記通電経路上に設けられるオフフック検出部と、
を備え、
前記オフフック検出部は、前記電話接続端子に前記外付電話機が接続され、かつ、前記外付電話機のハンドセットがオフフックされた場合に、前記通電経路上に流れる電流を検出し、
前記制御部は、
前記モデムが前記回線から発呼信号を受信したとき、画像信号の受信に先立って発呼側からの電話通信であるかファクシミリ通信であるかを識別するための発呼トーン信号を前記モデムが受信したか否かに拘わらず、被呼局識別信号及びディジタル識別信号を前記発呼側に送信するように前記モデムに対して指示し、
かつ、
前記発呼側が前記被呼局識別信号及び前記ディジタル識別信号を受信した上で発信するディジタル命令信号を、前記モデムが受信した場合に、前記発呼側から前記モデムを介して画像信号を受信する
ファクシミリモード処理を実行し、
前記ファクシミリモード処理において、
前記制御部は、前記モデムが、前記発呼側が前記被呼局識別信号及び前記ディジタル識別信号を受信した上で発信するディジタル命令信号を受信しない場合に、前記オフフック検出部が前記電流を検出したとき、前記モデムに対して前記被呼局識別信号及び前記ディジタル識別信号の発信を停止するように指示する
ことを特徴とするファクシミリ装置。
【請求項２】
前記電話接続端子を前記回線に接続するか否かを切り換えるリレー部を、
更に備え、
前記ファクシミリモード処理において、
前記制御部は、前記リレー部を制御して前記電話接続端子を前記回線に非接続にした後に、前記被呼局識別信号及び前記ディジタル識別信号を送信するように前記モデムに対して指示し、前記モデムが、前記発呼側が前記被呼局識別信号及び前記ディジタル識別信号を受信した上で発信するディジタル命令信号を受信しない場合に、前記リレー部を制御して前記電話接続端子を前記回線に接続する
ことを特徴とする請求項１に記載のファクシミリ装置。
【請求項３】
請求項１又は２に記載のファクシミリ装置であって、
表示を行う表示部と、
操作がなされる操作部と、
を更に備え、
前記制御部は、
前記オフフック検出部が前記電流を検出したとき、前記制御部の設定を、前記ファクシミリモード処理が実行されるファクシミリ設定から、前記外付電話機及び前記モデムの双方を使用する外付電話機使用設定に変更することを促す案内を、前記表示部に表示させる設定変更案内表示処理を、更に実行し、
前記設定変更案内表示処理において、
前記制御部は、前記案内の表示を解除させる指示が前記操作部の操作によってなされるまで、前記表示部に前記案内を表示させ続ける
ことを特徴とするファクシミリ装置。
【請求項４】
請求項３に記載のファクシミリ装置であって、
前記案内の表示を解除させる指示が前記操作部の操作によってなされた場合、前記設定変更案内表示処理において、前記制御部は、前記ファクシミリ設定がなされていて、かつ、前記オフフック検出部が前記電流を検出した場合でも、前記案内を前記表示部に表示させない
ことを特徴とするファクシミリ装置。
【請求項５】
請求項３に記載のファクシミリ装置であって、
更に、
画像を処理する処理部、
を有し、
前記制御部は、
前記処理部に対して処理の実行を指示する指示処理を、
更に実行し、
前記設定変更案内表示処理において、
前記制御部は、前記指示処理の実行前に前記表示部に前記案内を表示させていた場合、前記指示処理の実行後も、前記表示部に前記案内を表示させ続ける
ことを特徴とするファクシミリ装置。
【請求項６】
請求項３に記載のファクシミリ装置であって、
前記制御部は、
初期状態として、前記ファクシミリ設定がなされていて、そのファクシミリ設定から他の設定に設定変更がなされた場合、前記設定変更案内表示処理において、前記案内を前記表示部に表示させない
ことを特徴とするファクシミリ装置。
【請求項７】
回線に接続可能なモデムと、
外付電話機が接続可能であって、前記回線に接続される通電経路を介して前記モデムと接続される電話接続端子と、
制御部と、
前記通電経路上に設けられるオフフック検出部と、
表示を行う表示部と、
操作がなされる操作部と、
を備え、
前記オフフック検出部は、前記電話接続端子に前記外付電話機が接続され、かつ、前記外付電話機のハンドセットがオフフックされた場合に、前記通電経路上に流れる電流を検出し、
前記制御部は、
前記モデムの使用を優先するファクシミリ設定がなされている場合に、前記オフフック検出部が前記電流を検出したとき、前記制御部の設定を、前記ファクシミリ設定から、前記外付電話機及び前記モデムの双方を使用する外付電話機使用設定に変更することを促す案内を、前記表示部に表示させる設定変更案内表示処理を、実行し、
前記設定変更案内表示処理において、
前記制御部は、前記案内の表示を解除させる指示が前記操作部の操作によってなされるまで、前記表示部に前記案内を表示させ続ける
ことを特徴とするファクシミリ装置。
【発明の詳細な説明】
【技術分野】
【０００１】
本発明は、回線を介して発呼側から送信された画像信号を、モデムを介して受信するファクシミリ装置に関し、詳しくは、外付電話機が接続可能なファクシミリ装置に関する。
【背景技術】
【０００２】
従来、この種のファクシミリ装置では、ファクシミリ受信を優先するファクシミリモードと、電話機による通話を優先する電話モードとを備えたものが提案されている。また、そのようなファクシミリ装置において、ファクシミリモードと電話モードとの切り換えを、全着信回数に対するファクシミリ受信回数の比率に基づいて自動的に行うことも提案されている（例えば、特許文献１参照。）。
【先行技術文献】
【特許文献】
【０００３】
【特許文献１】特開平９−２００３７７号公報
【発明の概要】
【発明が解決しようとする課題】
【０００４】
ところが、ファクシミリモードには、回線から発呼信号を受信したとき、画像信号の受信に先立って発呼側から発呼トーン信号（ファクシミリ送信であることを通知するのに用いられる識別信号であるＣＮＧ信号）を受信したか否かに拘わらず、被呼局識別信号（ＣＥＤ信号）及びディジタル識別信号（ＤＩＳ信号）を発呼側に送信する形態がある。このようなファクシミリモードは、ハンドセットを備えないファクシミリ装置に初期状態として設定されている場合があり、そのようなファクシミリ装置に外付電話機が接続される場合、次のような課題が生じる。
【０００５】
すなわち、前述のようなファクシミリモードが設定されていると、外部から回線を介した着信があったとき、ファクシミリ装置は発呼信号を受信すると、ＣＥＤ信号（ファクシミリによる画像信号が受信可能である旨を示す信号）、及び、当該ファクシミリ装置の能力を示すＤＩＳ信号（ファクシミリ装置がＡ３サイズ／カラーまで受信可能といった情報の信号）の送信を開始する。すると、発呼側である外部からの送信がファクシミリ装置からの送信であれば、発呼側がＣＥＤ信号を受信すると、どういった形式（例えば、Ａ３・モノクロ原稿）でデータを送信するかを示すディジタル命令信号を送信する。しかし、モデムがＣＥＤ信号及びＤＩＳ信号の送信を開始しても、発呼側がＣＥＤ信号及びＤＩＳ信号を受信して送信するディジタル命令信号を受信しない場合は、外部からの電話機からの着信である可能性がある。その外部からの電話機からの着信である場合は、ファクシミリモードが設定されていれば、例え、外付電話機がファクシミリ装置に接続されていたとしても、外部の電話機からの着信を受けて通話することができなかった。
【０００６】
もちろん、使用者がファクシミリ装置のファクシミリモードを解除し、外付電話機とファクシミリとの双方を使用するモードに設定変更すればよいが、そのような設定変更の必要性に気付かない使用者もいる。
【０００７】
そこで、本発明は、例えば前述のようなファクシミリモード処理を実行するファクシミリ装置において、外付電話機が接続され、外部の電話機から回線を介した着信があった場合に、その着信を外付電話機で良好に受けられるようにすることを目的としてなされた。
【課題を解決するための手段】
【０００８】
前記目的を達するためになされた本発明のファクシミリ装置は、回線に接続可能なモデムと、外付電話機が接続可能であって、前記回線に接続される通電経路を介して前記モデムと接続される電話接続端子と、制御部と、前記通電経路上に設けられるオフフック検出部と、を備え、前記オフフック検出部は、前記電話接続端子に前記外付電話機が接続され、かつ、前記外付電話機のハンドセットがオフフックされた場合に、前記通電経路上に流れる電流を検出し、前記制御部は、前記モデムが前記回線から発呼信号を受信したとき、画像信号の受信に先立って発呼側からの電話通信であるかファクシミリ通信であるかを識別するための発呼トーン信号を前記モデムが受信したか否かに拘わらず、被呼局識別信号及びディジタル識別信号を前記発呼側に送信するように前記モデムに対して指示し、かつ、前記発呼側が前記被呼局識別信号及び前記ディジタル識別信号を受信した上で発信するディジタル命令信号を、前記モデムが受信した場合に、前記発呼側から前記モデムを介して画像信号を受信するファクシミリモード処理を実行し、前記ファクシミリモード処理において、前記制御部は、前記モデムが、前記発呼側が前記被呼局識別信号及び前記ディジタル識別信号を受信した上で発信するディジタル命令信号を受信しない場合に、前記オフフック検出部が前記電流を検出したとき、前記モデムに対して前記被呼局識別信号及び前記ディジタル識別信号の発信を停止するように指示することを特徴としている。
【０００９】
このように構成された本発明のファクシミリ装置では、制御部がファクシミリモード処理を実行すると、モデムは、回線から発呼信号を受信したとき、発呼トーン信号（ＣＮＧ信号）を受信したか否かに拘わらず、被呼局識別信号（ＣＥＤ信号）及びディジタル識別信号（ＤＩＳ信号）を発呼側に送信する。さらに、このファクシミリモード処理は、制御部は、ディジタル命令信号（ＤＣＳ信号）をモデムが受信後、発呼側から前記モデムを介して画像信号を受信するファクシミリ専用の処理である。
【００１０】
そして、このファクシミリモード処理は、本来、ファクシミリ専用の処理である。しかし、モデムがディジタル命令信号を受信しない場合は、外部からの電話機からの着信である可能性がある。そこで、外付電話機のハンドセットがオフフックされたときに通電経路に流れる電流をオフフック検出部が検出すると、被呼局識別信号及びディジタル識別信号の発信が停止される。被呼局識別信号及び前記ディジタル識別信号を発信無駄に発信することによる電力浪費を防止することができる。このため、ファクシミリモードであっても、外付電話機が接続されている場合には、使用者は、外付電話機のハンドセットを介して、外部の電話機からの着信を受けて通話することができる。
【００１１】
なお、本発明において、前記電話接続端子を前記回線に接続するか否かを切り換えるリレー部を、更に備え、前記ファクシミリモード処理において、前記制御部は、前記リレー部を制御して前記電話接続端子を前記回線に非接続にした後に、前記被呼局識別信号及び前記ディジタル識別信号を送信するように前記モデムに対して指示し、前記モデムが、前記発呼側が前記被呼局識別信号及び前記ディジタル識別信号を受信した上で発信するディジタル命令信号を受信しない場合に、前記リレー部を制御して前記電話接続端子を前記回線に接続してもよい。
【００１２】
ファクシミリモード処理において、被呼局識別信号（ＣＥＤ信号）及びディジタル識別信号（ＤＩＳ信号）を送信する際は、電話回線接続端子を回線に非接続となるリレー部の制御が行われている。その制御の場合、電話回線接続端子が回線に非接続であれば、使用者が外付電話機のハンドセットを介して、外部の電話機からの着信を受けて通話することができない。
【００１３】
しかし、本発明において、モデムがディジタル命令信号を受信しない場合は、外部からの電話機からの着信である可能性があるので、電話回線接続端子を回線に接続となるリレー部の制御が行われる。故に、電話回線接続端子が回線に接続であれば、使用者が外付電話機のハンドセットを介して、外部の電話機からの着信を受けて通話することができる。
【００１４】
また、本発明において、表示を行う表示部と、操作がなされる操作部と、を更に備え、前記制御部は、前記オフフック検出部が前記電流を検出したとき、前記制御部の設定を、前記ファクシミリモード処理が実行されるファクシミリ設定から、前記外付電話機及び前記モデムの双方を使用する外付電話機使用設定に変更することを促す案内を、前記表示部に表示させる設定変更案内表示処理を、更に実行し、前記設定変更案内表示処理において、前記制御部は、前記案内の表示を解除させる指示が前記操作部の操作によってなされるまで、前記表示部に前記案内を表示させ続けてもよい。
【００１５】
その場合、前記案内を見た使用者は、ファクシミリモードが実行されるファクシミリ設定から、外付電話機による電話受信、及び、モデムを介したファクシミリ受信の双方を使用する外付電話機使用設定に変更した方が、外部の電話機からの着信を受けて通話することができることを知ることができる。しかも、その案内の表示は、外付電話機のハンドセットがオフフックされたときに前記通電経路に流れる電流をオフフック検出部が検出したときになされるので、外付電話機が接続され、前記設定変更の必要が生じたときに表示される。また、前記案内の表示は、使用者が操作部を操作して表示を解除させる指示を与えるまで継続される。従って、その場合、使用者が外付電話機のハンドセットを介して外部の電話機からの着信を受けて通話することができる。
【００１６】
そして、さらに、前記案内の表示を解除させる指示が前記操作部の操作によってなされた場合、前記設定変更案内表示処理において、前記制御部は、前記ファクシミリ設定がなされていて、かつ、前記オフフック検出部が前記電流を検出した場合でも、前記案内を前記表示部に表示させなくてもよい。すなわち、使用者が操作部を操作して表示を解除させる指示を与えた場合は、何度も同様の案内の表示がなされると、使用者が却って煩わしく感じることがある。そこで、前記解除させる指示がなされた場合は、ファクシミリ設定がなされていて、かつ、オフフック検出部が前記電流を検出した場合でも、前記案内を表示部に表示させないことにより、案内の表示に対して使用者が煩わしさを感じるのを抑制することができる。
【００１７】
また、前記案内の表示がなされる場合において、更に、画像を処理する処理部を有し、前記制御部は、前記処理部に対して処理の実行を指示する指示処理を、更に実行し、前記設定変更案内表示処理において、前記制御部は、前記指示処理の実行前に前記表示部に前記案内を表示させていた場合、前記指示処理の実行後も、前記表示部に前記案内を表示させ続けてもよい。
【００１８】
処理部に対して画像の処理の実行を指示する指示処理を制御部が実行するとき、前記案内の表示が消される可能性があるが、この場合、指示処理の実行前に表示部に前記案内が表示されていたときは、指示処理の実行後も前記案内が表示され続ける。このため、使用者は、前記外付電話機使用設定に変更した方がより円滑に外部の電話機からの着信を受けて通話することができることを、一層良好に知ることができる。
【００１９】
また、前記案内の表示がなされる場合において、前記制御部は、初期状態として、前記ファクシミリ設定がなされていて、そのファクシミリ設定から他の設定に設定変更がなされた場合、前記設定変更案内表示処理において、前記案内を前記表示部に表示させなくてもよい。
【００２０】
初期状態として設定されたファクシミリ設定から他の設定に設定変更がなされた場合、少なくとも、使用者に設定変更を行う意図があったことが推察できる。このため、そのような意図が推察された後も前記表示がなされると、使用者が却って煩わしく感じることがあるが、そのような場合に前記案内を表示部に表示させないことにより、案内の表示に対して使用者が煩わしさを感じるのを抑制することができる。
【００２１】
また、前記目的を達するためになされた本発明のファクシミリ装置は、回線に接続可能なモデムと、外付電話機が接続可能であって、前記回線に接続される通電経路を介して前記モデムと接続される電話接続端子と、制御部と、前記通電経路上に設けられるオフフック検出部と、表示を行う表示部と、操作がなされる操作部と、を備え、前記オフフック検出部は、前記電話接続端子に前記外付電話機が接続され、かつ、前記外付電話機のハンドセットがオフフックされた場合に、前記通電経路上に流れる電流を検出し、前記制御部は、前記モデムの使用を優先するファクシミリ設定がなされている場合に、前記オフフック検出部が前記電流を検出したとき、前記制御部の設定を、前記ファクシミリ設定から、前記外付電話機及び前記モデムの双方を使用する外付電話機使用設定に変更することを促す案内を、前記表示部に表示させる設定変更案内表示処理を、実行し、前記設定変更案内表示処理において、前記制御部は、前記案内の表示を解除させる指示が前記操作部の操作によってなされるまで、前記表示部に前記案内を表示させ続けることを特徴としたものであってもよい。
【００２２】
このように構成された本発明では、表示部に表示された案内を見た使用者は、外付電話機による電話受信、及び、モデムを介したファクシミリ受信の双方を使用する外付電話機使用設定に変更した方が、より円滑に、外部の電話機からの着信を受けて通話することができることを知ることができる。しかも、その案内の表示は、外付電話機のハンドセットがオフフックされたときに通電経路に流れる電流をオフフック検出部が検出したときになされるので、外付電話機が接続され、前記設定変更の必要が生じたときに表示される。また、前記案内の表示は、使用者が操作部を操作して表示を解除させる指示を与えるまで継続される。従って、本発明では、使用者に前記外付電話機使用設定に変更することを良好に促すことができ、その設定変更後には、使用者は、外付電話機のハンドセットを介して外部の電話機からの着信を受けて良好に通話することができる。
【図面の簡単な説明】
【００２３】
【図１】本発明が適用された複合機の構成を表すブロック図である。
【図２】その複合機で実行される処理を表すフローチャートである。
【図３】前記処理におけるＦＡＸモード処理を詳細に表すフローチャートである。
【図４】前記処理における案内表示処理を詳細に表すフローチャートである。
【図５】前記処理における電話接続処理を詳細に表すフローチャートである。
【図６】前記処理におけるＯＫボタン押下処理を詳細に表すフローチャートである。
【図７】その案内表示処理における表示画面を表す説明図である。
【図８】その処理における設定変更処理を詳細に表すフローチャートである。
【発明を実施するための形態】
【００２４】
［複合機の構成］
次に、本発明の実施形態を、図面と共に説明する。図１は、本発明が適用されたファクシミリ装置の一例としての複合機（ＭＦＣ）１の構成を表すブロック図である。図１に示すように、複合機１は、ファクシミリ通信機能、外付け電話の中継機能、コピー機能、スキャナ機能などの複数の機能を備えたものであり、図１に示すように、電話回線５１（回線の一例）を接続するための回線側ジャック１０と、外付電話機５２を接続するための電話側ジャック２０とを備えている。これら各ジャック１０，２０はいずれも、同一形状のモジュラージャックとして構成され、複合機１の側面に設けられている。
【００２５】
複合機１は、ＡＳＩＣ３（制御部の一例）と、モデム部４（モデムの一例）と、リレー５（リレー部の一例）と、オフフック検知部６（オフフック検出部の一例）と、画像読取部７（処理部の一例）と、画像形成部８と、表示部９（操作部及び表示部の一例）とを備えている。
【００２６】
図１に示すように、ＡＳＩＣ３は、ＣＰＵ３Ａを有しており，ＲＯＭ３Ｂ，ＲＡＭ３Ｃが接続されている。表示部９は、複合機１の筐体表面に設けられ、各種表示を行う。また、表示部９は、液晶表示画面に感圧素子を重ねたタッチパネルとして構成され、使用者による各種操作入力を受け付けるものである。画像形成部８は、ファクシミリ通信機能により受信されたファクシミリ受信画像や画像読取部７により読み取られた画像などの各種画像を、印刷用紙等の被記録媒体に記録（印刷）するものである。画像読取部７は、コピーやファクシミリ送信における読み取り対象の原稿の画像を読み取るものである。
【００２７】
回線側ジャック１０には、電話回線５１が接続可能である。回線側ジャック１０に電話回線５１が接続されることで、複合機１と交換機５３とが電気的に接続されて相互間で各種通信が可能となる。なお、図１では図示を省略したが、電話回線５１と複合機１との接続は、実際には、端部にモジュラープラグを備えたラインコードを介して（ラインコードのモジュラープラグを回線側ジャック１０に差し込むことで）行われる。
【００２８】
電話回線５１は、交換機５３から複合機１等の端末装置側へ通信用の直流電圧（例えば４８Ｖ）を供給するための第１ラインＬ１及び第２ラインＬ２を備えている。複合機１の回線側ジャック１０は、電話回線５１の第１ラインＬ１が接続される第１回線接続端子１１と、電話回線５１の第２ラインＬ２が接続される第２回線接続端子１２とを備えている。各回線接続端子１１，１２はモデム部４に接続されている。すなわち、第１回線接続端子１１は第１接続線Ｌ１１によってモデム部４と接続され、第２回線接続端子１２は第２接続線Ｌ１２によってモデム部４と接続されている。なお、図示省略したが、モデム部４は、電話回線５１を閉結・開放するための回線閉結・開放回路や、発呼信号等の各種入力信号の検出及び電話回線５１への各種出力信号の送出等を行うモジュール等を備えている。
【００２９】
電話側ジャック２０には、外付電話機５２が接続可能である。電話側ジャック２０は、第１電話接続端子２１及び第２電話接続端子２２（いずれも電話接続端子の一例）を備え、これら各電話接続端子２１，２２が、複合機１の内部において、各接続線Ｌ１１，Ｌ１２に接続されている。すなわち、第１電話接続端子２１は第１中継線Ｌ２１を介して第１接続線Ｌ１１に接続され、第２電話接続端子２２は第２中継線Ｌ２２を介して第２接続線Ｌ１２に接続されている。つまり、回線側ジャック１０と電話側ジャック２０は電気的に接続されている。そのため、外付電話機５２も、各中継線Ｌ２１，Ｌ２２（通電経路の一例）等を介して交換機５３と相互に通信を行うことができる。
【００３０】
リレー５は、各中継線Ｌ２１，Ｌ２２に設けられ、その各中継線Ｌ２１，Ｌ２２を導通（オン）・遮断（オフ）するものである。すなわち、リレー５の可動接点５Ａ，５Ｂが図１に符号Ａで示す位置に配設されると、各中継線Ｌ２１，Ｌ２２が各接続線Ｌ１１，Ｌ１２にそれぞれ接続される。一方、可動接点５Ａ，５Ｂが図１に符号Ｂで示す位置に配設されると、各中継線Ｌ２１，Ｌ２２と各接続線Ｌ１１，Ｌ１２との導通がそれぞれ遮断される。オフフック検知部６は、電話側ジャック２０に外付電話機５２が接続され、かつ、その外付電話機５２のハンドセット（図示省略）がオフフックされた場合に、中継線Ｌ２２に流れる電流（以下、オフフック電流ともいう）を検出する。
【００３１】
ＡＳＩＣ３には、このオフフック検知部６の検出信号の他、モデム部４の検出信号、表示部９の操作状態、及び画像読取部７が読み取った画像に応じた信号が入力されている。ＡＳＩＣ３は、これらの信号に基づき、次のような処理を実行して、モデム部４，リレー５，画像形成部８，及び表示部９の動作を制御する。
【００３２】
［複合機における処理］
図２は、複合機１の電源がオンである間、ＡＳＩＣ３のＣＰＵ３Ａが、ＲＯＭ３Ｂに記憶されたプログラムに基づいて繰り返し実行する処理のメインルーチンを表すフローチャートである。
【００３３】
本実施形態の複合機１は、出荷時には、次のような状態とされている。回線側ジャック１０に電話回線５１が接続されておらず、電話側ジャック２０に外付電話機５２が接続されていない。また、複合機１の動作モードはＦＡＸモードに設定されている。さらに、リレー５の可動接点５Ａ，５Ｂは、図１に符号Ａで示す位置に配設されている（以下、リレー５がＡ位置にあるという：Ｂ位置についても同様）。また、後述のフラグはオフに設定されている。
【００３４】
図２に示すように、この処理では、先ずＳ１０，Ｓ２０（Ｓはステップを表す：以下同様）にて、後述する設定変更処理（Ｓ１０）とＯＫボタン押下処理（Ｓ２０）とが実行される。
【００３５】
Ｓ３０では、モデム部４が電話回線５１から発呼信号を受信したか否かが判断される。モデム部４が発呼信号を受信していない場合は（Ｓ３０：Ｎ）、処理はＳ４０へ移行する。Ｓ４０では、オフフック検知部６がオフフック電流を検出しているか否かが判断される。オフフック検知部６がオフフック電流を検出していない場合は（Ｓ４０：Ｎ）、処理はＳ５０へ移行する。Ｓ５０では、電話（ＴＥＬ）やファクシミリ（ＦＡＸ）の開始、すなわち複合機１からの発呼が、表示部９等を介して指示されたか否かが判断される。
【００３６】
複合機１からの発呼が指示された場合は（Ｓ５０：Ｙ）、Ｓ６０にて周知の外部の電話またはファクシミリへの送信処理（指示処理の一例）がなされた後、発呼が指示されていない場合はそのまま（Ｓ５０：Ｎ）、処理は前述のＳ１０へ移行する。また、Ｓ４０にて、オフフック検知部６がオフフック電流を検出したと判断された場合は（Ｓ４０：Ｙ）、処理はＳ７０を介して前述のＳ５０へ移行する。
【００３７】
Ｓ７０では、後述する案内表示処理（設定変更案内表示処理の一例）が実行される。複合機１に外部の電話機からの着信も外部のファクシミリ装置からの着信もない場合は（Ｓ３０：Ｎ）、このＳ１０〜Ｓ７０の処理が繰り返し実行される。
【００３８】
複合機１に外部の電話機からの着信または外部のファクシミリ装置からの着信があり、発呼信号がモデム部４を介して受信されると（Ｓ３０：Ｙ）、処理はＳ８０へ移行する。Ｓ８０では、複合機１の動作モードがＦＡＸモードであるか否かが判断される。ＦＡＸモードでない場合は（Ｓ８０：Ｎ）、Ｓ９０にてその時点で設定されているＦＡＸモード以外の動作モードに対応した処理が実行されて、処理は前述のＳ１０へ移行する。
【００３９】
ただし、複合機１は自身がハンドセットを備えておらず、電話側ジャック２０に外付電話機５２が接続された場合にのみ、外部の電話機との通話が可能となる。このため、前述のように、出荷時には複合機１の動作モードはＦＡＸモードに設定されている。従って、設定変更がなされていなければ、Ｓ８０では肯定判断されて処理はＳ１００へ移行する。Ｓ１００では、図示しない鳴動回路を用いて、呼び出し音の鳴動が開始される。続くＳ１１０では、オフフック検知部６を用いてオフフック電流が検出されたか否かが判断され、検出されていない場合は（Ｓ１１０：Ｎ）、処理はＳ１２０へ移行する。Ｓ１２０では、呼び出し音の鳴動が所定回数に達したか否かが判断され、達していない場合は（Ｓ１２０：Ｎ）、処理は前述のＳ１１０へ移行する。
【００４０】
こうして、Ｓ１１０，Ｓ１２０のループ処理が実行される間に、オフフック検知部６によってオフフック電流が検出されると（Ｓ１１０：Ｙ）、処理はＳ１３０へ移行し、後述するＳ７０と同様の案内表示処理が実行される。Ｓ１３０に続くＳ１４０では、ファクシミリデータを受信するか外付電話機５２による通話を行うかをマニュアル操作で切り換える周知のマニュアル処理（Ｍａｎｕａｌ処理）が実行されて、処理が一旦終了する。
【００４１】
一方、Ｓ１１０，Ｓ１２０のループ処理において、オフフック電流が検出されることなく所定回数の呼び出しがなされると（Ｓ１１０：Ｎ）、処理はＳ１５０のＦＡＸモード処理へ移行する。
【００４２】
［ＦＡＸモード処理］
図３は、そのＦＡＸモード処理を詳細に表すフローチャートである。図３に示すように、このＦＡＸモード処理では、先ずＳ１５１にてリレー５がＡ位置からＢ位置へ切り換えられる。ＦＡＸモード処理では、リレー５がＢ位置に切り換えられている場合、第１接続線Ｌ１１と中継線Ｌ２１とが接続されておらず、第２接続線Ｌ１２と中継線Ｌ２２とがされていないため、外付電話機５２のハンドセットをオフフックしたとしてもオフフック検知部６によってオフフック電流が検出されることはない。
【００４３】
これは、そもそもＦＡＸモードは、モデム部４が交換機５３を介して画像データを受信するモードであって、複合機１に外付電話機５２が接続されていない状態を想定しているため、リレー５はＢ位置に位置する。
【００４４】
次に、Ｓ１５２にて回線が閉結され、Ｓ１５３にて、ＣＥＤ信号（被呼局識別信号）及びＤＩＳ信号（ディジタル識別信号）の送信が開始される。すなわち、このＦＡＸモード処理において、複合機１は、発呼側から受信側へファクシミリ送信であることを通知するのに用いられる識別信号であるＣＮＧ信号をモデム部４が受信したか否かに拘わらず、モデム部４を用いてＣＥＤ信号及びＤＩＳ信号を送信する。
【００４５】
Ｓ１５３に続くＳ１５４では、発呼側のファクシミリ装置がＣＥＤ信号及びＤＩＳ信号を受信した上で発信するＤＣＳ信号（ディジタル命令信号）を、複合機１が所定時間Ｔ０内（約１０秒以内）に受信したか否かが判断される。なお、ＤＣＳ信号は、どういった形式（例えば、Ａ３・モノクロ原稿）でデータを送信するかを示す信号である。
【００４６】
ＤＣＳ信号が受信された場合は（Ｓ１５４：Ｙ）、Ｓ１５５にてＣＥＤ信号及びＤＩＳ信号の送信が停止された後、Ｓ１５６にて画像信号の受信に先立って幾つかの周知の処理を実行後、モデム部４を介して周知の画像信号の受信が開始される。
【００４７】
Ｓ１５６に続くＳ１５７では、画像信号の受信が終了したか否かが判断される。受信が終了していない場合は（Ｓ１５７：Ｎ）、処理はそのＳ１５７を繰り返すことによって待機状態となり、受信が終了すると（Ｓ１５７：Ｙ）、処理はＳ１５８へ移行する。Ｓ１５８では、回線が開放される。続くＳ１５９では、リレー５がＡ位置に切り換えられ、処理が一旦終了する。
【００４８】
一方、所定時間Ｔ０内にＤＣＳ信号が受信されない場合は（Ｓ１５４：Ｎ）、処理はＳ１６１へ移行する。Ｓ１６１では、リレー５がＡ位置に切り換えられる。
ＦＡＸモードは、リレー５はＢ位置に位置する。複合機１が、所定時間Ｔ０内にＤＣＳ信号が受信されない場合は、電話回線５１の不良によってＤＣＳ信号の受信が遅れている場合や、外部からの電話機からの着信である場合等が考えられる。そこで、リレー５をＢ位置からＡ位置へ切り替え、オフフック検知部６を用いてＣＰＵ３が中継線Ｌ２２に流れる電流を検出できるようにする。
【００４９】
続くＳ１６２にて、ＣＰＵ３は、オフフック検知部６を用いてオフフック電流が検出されたか否かが判断する。ＣＰＵ３は、オフフック電流が検出された場合（Ｓ１６２：Ｙ）、ＦＡＸモードであるにもかかわらず、外付電話機５２が接続されていると判断することができる。
【００５０】
オフフック電流が検出されていない場合は（Ｓ１６２：Ｎ）、処理はＳ１６３へ移行する。Ｓ１６３では、Ｓ１６１にてリレー５がＡ位置に切り換えられてから所定時間Ｔ２（約２５秒）が経過したか否かが判断される。所定時間Ｔ２が経過していない場合は（Ｓ１６３：Ｎ）、処理はＳ１６４へ移行する。Ｓ１６４では、ＤＣＳ信号が受信されたか否かが判断される。ＤＣＳ信号が受信されていない場合は（Ｓ１６４：Ｎ）、処理は前述のＳ１６２へ移行する。Ｓ１６２〜Ｓ１６４からなるループ処理では、所定時間Ｔ２経過するまでに、オフフック電流が検出するか否か（Ｓ１６２）、ＤＣＳ信号を受信するか否か（Ｓ１６４）が判断される。
【００５１】
そして、このループ処理の間に、ＤＣＳ信号が受信されると（Ｓ１６４：Ｙ）、外部からの複合機１へのＦＡＸ送信であるため、ＣＰＵ３は、Ｓ１６６にて再びリレー５をＢ位置に切り換えた後、処理は前述のＳ１５５以降の処理へ移行する。すなわち、複合機１は、外部からの複合機１へ送信された画像データを受信する。
【００５２】
また、Ｓ１６２〜Ｓ１６４からなるループ処理の間に所定時間Ｔ２が経過すると（Ｓ１６３：Ｙ）、処理はＳ１６７へ移行する。Ｓ１６７では、ＣＥＤ信号及びＤＩＳ信号の送信が停止され、続くＳ１６８にて回線が開放された後、処理は一旦終了する。すなわち、Ｓ１６２〜Ｓ１６４からなるループ処理の間に所定時間Ｔ２が経過した場合は（Ｓ１６３：Ｙ）、タイムアウトの処理が実行される。
【００５３】
一方、また、Ｓ１６２〜Ｓ１６４からなるループ処理の間にオフフック電流が検出されると（Ｓ１６２：Ｙ）、Ｓ７０と同様の案内表示処理（Ｓ１７０）が実行された後、処理はＳ１７１へ移行する。
【００５４】
［案内表示処理］
複合機１の動作モードがＦＡＸモードであるにもかかわらず、外付電話機５２が複合機１に接続されている場合、使用者にＦＡＸモード以外の動作モードに設定変更すべきことを報知する必要がある。
【００５５】
図４は、この案内表示処理を詳細に表すフローチャートである。図４に示すように、この案内表示処理では、先ずＳ７１にて、フラグがオンであるか否かが判断される。フラグについては、後述するＯＫボタン押下処理において説明する。フラグがオフである場合（Ｓ７１：Ｎ）、処理はＳ７２を介して前述のＳ５０へ移行する。一方、フラグがオンである場合は（Ｓ７１：Ｙ）、処理はそのままＳ５０へ移行する。Ｓ７２では、外付電話機５２とモデム部４（すなわちファクシミリ機能）との双方を使用するＦ／Ｔモード（外付電話機使用設定の一例）等に設定を変更することを促す案内表示（図７（Ａ）参照）が、表示部９になされる。この案内表示が表示部９に表示されることで、使用者は、外付電話機５２が複合機１に接続されているためＦ／Ｔモード等に設定すべきであることがわかる。
【００５６】
なお、ＦＡＸモードが設定されていて、電話側ジャック２０に外付電話機５２が接続され、かつ、その外付電話機５２のハンドセットがオフフックされたときに流れるオフフック電流とが検出されたとき（Ｓ４０：Ｙ、Ｓ１１０：Ｙ、Ｓ１６２：Ｙ）、案内表示処理（Ｓ７０、Ｓ１３０、Ｓ１７０）が実行される。
【００５７】
表示部９に表示される案内表示は、後述するＯＫボタン押下処理のＳ２２、設定変更処理のＳ１４において、案内表示を表示部９から消去する命令がＣＰＵ３からなされるまで表示される。
【００５８】
Ｓ１７１では、ＤＣＳ信号が受信されたか否かが判断される。ＤＣＳ信号が受信されていない場合は、処理はＳ１７２へ移行する。Ｓ１７２では、オフフック電流が検出されてから（Ｓ１６２：Ｙ）所定時間Ｔ１が経過したか否かが判断される。所定時間Ｔ１（約５秒）が経過していない場合は（Ｓ１７２：Ｎ）、処理は前述のＳ１７１へ移行する。そして、このＳ１７１，Ｓ１７２からなるループ処理の間に、ＤＣＳ信号が受信されると（Ｓ１７１：Ｙ）、Ｓ１７３にてリレー５がＢ位置に切り換えられた後、処理は前述のＳ１５５へ移行する。
【００５９】
所定時間Ｔ０内にＤＣＳ信号を受信しない場合（Ｓ１５４：Ｎ）、外部からの電話の可能性が高いが、電話回線５１の不調によって外部からのＤＣＳ信号が複合機１に到達するのが遅れていることも考えられる。そこで、ＣＰＵ３は、オフフック電流が検出された場合（Ｓ１６２：Ｙ）、ＦＡＸモードであるにもかかわらず、外付電話機５２が接続されているが、外部からの複合機１へのＦＡＸ送信である可能性も少しある。そこで、更に、オフフック電流が検出されてから所定時間Ｔ１（約５秒）内に、外部からのＤＣＳ信号が到達した場合には、Ｓ１７１からＳ１７３に移行する。更に、オフフック電流が検出されてから所定時間Ｔ１（約５秒）内に、外部からのＤＣＳ信号がモデム部４に到達しない場合には、外部からの電話であるとして、処理はＳ１７５へ移行する。
【００６０】
Ｓ１７５では、ＣＥＤ信号及びＤＩＳ信号の送信が停止され、続くＳ１８０にて次のような電話接続処理が実行される。この電話接続処理によって、ＦＡＸモードであっても、使用者は外付電話機５２を用いて外部からの電話にでることが可能となる。
【００６１】
図５は、その電話接続処理を詳細に表すフローチャートである。図５に示すように、この電話接続処理では、先ずＳ１８１にて、オフフック電流が検出されているか否かが判断される。オフフック電流が検出されている場合は（Ｓ１８１：Ｙ）、処理はそのＳ１８１を繰り返すことによって待機状態となり、オフフック電流が検出されなくなると（Ｓ１８１：Ｎ）、処理はＳ１８２へ移行する。Ｓ１８２では、モデム部４が交換機５３との接続を離すことによって回線が開放され、図２の複合機で実行される処理、および、図３のＦＡＸモード処理が一旦終了する。複合機１は、複合機１の電源がオフされない限り、再び図２の複合機で実行される処理を最初から繰り返し、Ｓ１０の設定変更処理、Ｓ２０のＯＫボタン押下処理を実行する。
【００６２】
［ＯＫボタン押下処理］
Ｓ１０の設定変更処理の説明と前後するが、図６を用いてＯＫボタン押下処理を詳細に表すフローチャートを説明する。このＯＫボタン押下処理では、先ずＳ２１にて、次のように表示されているＯＫボタン９Ａが押下されたか否かが判断される。前述した図４の案内表示処理のＳ７２において、図７（Ａ）に示すように外付電話機５２とモデム部４（すなわちファクシミリ機能）との双方を使用するＦ／Ｔモード（外付電話機使用設定の一例）等に設定を変更することを促す案内表示が、表示部９になされる。
【００６３】
また、この案内表示には、前記設定変更を促す案内と共に、その案内を使用者が了承した場合に押下されるＯＫボタン９Ａと、当該案内を閉じるためのクローズボタン９Ｂとが表示されている。クローズボタン９Ｂが押下されると、図示しない別ルーチンの処理により、図７（Ｂ）に示すように、ファクシミリ、コピー、またはスキャンの機能を選択するためのメニュー画面が表示部９に表示される。この画面には、各種機能を選択するための機能選択ボタン９Ｃと共に、本製品に外付電話機５２を接続する場合の詳細な操作表示を指示する詳細ボタン９Ｄが表示されている。この詳細ボタン９Ｄが押下されると、図示しない別ルーチンの処理により、前述の図７（Ａ）の画面が表示部９に表示される。
【００６４】
そして、図７（Ａ）の画面におけるＯＫボタン９Ａが押下されると、前述のＳ２１（図６）にて肯定判断され、処理は図６のＳ２２へ移行する。Ｓ２２では、図７（Ａ）に示す案内表示が表示部９から消去される。続くＳ２３ではフラグがオンに設定されて、処理は前述のＳ３０（図２）へ移行する。
【００６５】
Ｓ２１の処理において肯定判断される、すなわち、使用者がタッチパネルとして構成された表示部９によってＯＫボタン９Ａを押下することは、使用者は、電話機接続時には設定変更が必要であることを一度、確認したうえで、ＯＫボタン９Ａを押下している。
【００６６】
表示部９に案内表示を何度も表示する必要は必ずしも必要ではなく、使用者が一度、案内表示を一度、確認すればよい。そのため、図６のＳ２３において、Ｓ２１の処理において肯定判断がされた場合には、フラグがオンに設定される（Ｓ２３）。すると、案内表示処理（Ｓ７０、Ｓ１３０、Ｓ１７０）において、フラグがオン（Ｓ７１：Ｙ）となるのは、使用者がＯＫボタン９Ａを押下して、電話機接続時には設定変更が必要であることを確認した場合に該当する。
【００６７】
［設定変更処理］
次に、図８のフローチャートを用いて、Ｓ１０の設定変更処理を説明する。この処理では、動作モードがＦＡＸモード以外の設定に変更された否かが判断される（Ｓ１１）。初期設定では、ＦＡＸモードが設定されており、ＦＡＸモードから、例えば、Ｆ／Ｔモードに変更された場合には、使用者は、電話機接続時には設定変更が必要であることを理解しているので、フラグがオンに設定される（Ｓ１２）。
【００６８】
続くＳ１３では、表示部９に図６（Ａ）に示した案内が表示されていたか否かが判断される。案内が表示されていた場合は（Ｓ１３：Ｙ）、Ｓ１４にてその案内表示が表示部９から消去された後、案内が表示されていなかった場合はそのまま（Ｓ１３：Ｎ）、ＣＰＵ３は設定変更処理を終了する。
【００６９】
動作モードがＦＡＸモード以外の設定に変更された場合（Ｓ１１：Ｙ）、表示部９に図６（Ａ）の案内表示を表示させ続ける必要はない。故に、動作モードがＦＡＸモード以外の設定に変更された場合（Ｓ１１：Ｙ）において、表示部９に図７（Ａ）の案内が表示されていた場合には（Ｓ１３：Ｙ）、Ｓ１４にてその案内表示が表示部９から消去されるのである。逆に、動作モードがＦＡＸモード以外の設定に変更されていない場合（Ｓ１１：Ｎ）には、ＦＡＸモードであるにも関わらず、複合機１に外付電話機５２が接続されているため、表示部９に図６（Ａ）の案内表示を表示させ続ける必要がある。そこで、図６（Ａ）の案内表示が消去されるのは、図６のＯＫボタン９Ａが押下された場合（Ｓ２１：Ｙ）と図８のＦＡＸモード以外の設定に変更された場合（Ｓ１１：Ｎ）となる。
【００７０】
［複合機の効果］
このように、本実施形態の複合機１では、ＦＡＸモード処理（Ｓ１５０）が開始されると、モデム部４は、ＣＮＧ信号を受信したか否かに拘わらずＣＥＤ信号を発呼側に送信する（Ｓ１５３）。このＦＡＸモード処理は、本来、ファクシミリ専用の処理である。しかし、モデム部４が所定時間Ｔ０以内にＤＣＳ信号を受信しない場合は（Ｓ１５４：Ｎ）、外部からの電話機からの着信である可能性がある。そこで、その場合にオフフック電流が検出され（Ｓ１６２：Ｙ）、更に所定時間Ｔ１が経過するまでにＤＣＳ信号が受信されないと（Ｓ１７１：Ｎ、Ｓ１７２：Ｙ）、ＣＥＤ信号及びＤＩＳ信号の発信が停止される（Ｓ１７５）。このため、Ｓ１５０のＦＡＸモード処理が実行されるＦＡＸモードが動作モードとして設定されていても（Ｓ８０；Ｙ）、外付電話機５２が接続されている場合には、使用者は、外付電話機５２のハンドセットを介して、外部の電話機からの着信を受けて通話することができる（Ｓ１８０）。
【００７１】
すなわち、ＦＡＸモードが動作モードとして設定されている場合（Ｓ８０：Ｙ）、呼び出し音が所定回数（例えば４回）鳴動するまでに外付電話機５２のハンドセットを使用者が取らないと（Ｓ１２０：Ｙ）、ＦＡＸモード処理（Ｓ１５０）が実行される。このＦＡＸモード処理は、本来ファクシミリ専用の処理で、従来機では、外付電話機５２のハンドセットのオフフックを全く受け付けない形態もある。これに対して、本実施形態では、ＦＡＸモードが動作モードとして設定されていても、使用者は、外付電話機５２のハンドセットを介して外部の電話機からの着信を受けることができ、使用者が設定変更の必要性に気付かない場合でも通話ができる。
【００７２】
なお、本実施形態におけるＦＡＸモード処理では、ＣＥＤ信号及びＤＩＳ信号を送信する際は（Ｓ１５３）、リレー５をＢ位置に切り換える制御（Ｓ１５１）が事前に行われている。その制御によりリレー５がＢ位置に維持されていると、外付電話機５２は電話回線５１に非接続の状態に維持され、使用者が外付電話機５２のハンドセットを介して外部の電話機からの着信を受けて通話することができない。そこで、本実施形態におけるＦＡＸモード処理では、ＤＣＳ信号が所定時間Ｔ０以内に受信されない場合（Ｓ１５４：Ｎ）、外部からの電話機からの着信である可能性があるので、リレー５をＡ位置に切り換えている（Ｓ１６１）。リレー５がＡ位置に維持されていれば、ＣＥＤ信号及びＤＩＳ信号の停止後に、使用者は、外付電話機５２のハンドセットを介して、外部の電話機からの着信を受けて通話することができる（Ｓ１８０）。
【００７３】
また、本実施形態の複合機１では、電話側ジャック２０に外付電話機５２が接続され、かつ、その外付電話機５２のハンドセットがオフフックされたときに流れるオフフック電流とが検出されたとき（Ｓ４０：Ｙ、Ｓ１１０：Ｙ、Ｓ１６２：Ｙ）、案内表示処理（Ｓ７０、Ｓ１３０、Ｓ１７０）が実行される。この案内表示処理では、外付電話機５２とモデム部４（すなわちファクシミリ機能）との双方を使用するＦ／Ｔモード等に、表示部９を操作して設定を変更することを促す案内表示が、表示部９に表示される（Ｓ７２）。このため、使用者は、Ｆ／Ｔモード等に設定変更した方が、外部の電話機からの着信を受けて通話する場合にはより適切であることを知ることができる。
【００７４】
しかも、その案内表示は、外付電話機５２のハンドセットがオフフックされたとき、なされるので、外付電話機５２が接続され、前記設定変更の必要が生じたときに表示される。また、前記案内表示は、使用者がＯＫボタン９Ａを押下して表示を解除させるか（Ｓ２１：Ｙ）、使用者が設定変更を行うか（Ｓ１１：Ｙ）するまで、繰り返し実行される（Ｓ７１：Ｎ）。さらに、ファクシミリ送信時等（Ｓ６０）には、前記案内表示が消される可能性があるが、本実施形態では、そのような処理の実行前に前記案内表示がなされていたときは、ファクシミリ送信等の処理後も前記案内が表示され続ける。このため、使用者は、Ｆ／Ｔモード等に設定変更した方がより円滑に外部の電話機からの着信を受けて通話することができることを、一層良好に知ることができる。
【００７５】
逆に、本実施形態では、使用者がＯＫボタン９Ａを押下して表示を解除させるか（Ｓ２１：Ｙ）、使用者が設定変更を行うか（Ｓ１１：Ｙ）した場合は、オフフック電流が検出されても前記案内表示は実行されなくなる（Ｓ７１：Ｙ）。このため、案内の表示に対して使用者が煩わしさを感じるのを抑制することができる。すなわち、ＯＫボタン９Ａが押下された場合は使用者が案内を了承したことが示唆され、設定変更がなされた場合は使用者に設定変更を行う意図があったことが示唆される。従って、そのような場合には前記案内表示が実行されないようにすることで、使用者が前記案内表示に対して煩わしさを感じるのを抑制することができる。
【００７６】
なお、本発明は前記実施形態に何ら限定されるものではなく、本発明の要旨を逸脱しない範囲で種々の形態で実施することができる。例えば、前記案内表示がどのような場合に解除されるかは、種々の形態が考えられる。すなわち、ＯＫボタン９Ａ等が操作された後もオフフック電流が検出される毎に案内表示がなされてもよく、最初にオフフック電流が検出されたときに１回だけ案内表示がなされてもよく、そのような案内表示が最初から全くなされなくてもよい。また、Ｓ１２またはＳ２３におけるフラグオンの処理はいずれか一方が省略されてもよい。
【符号の説明】
【００７７】
１…複合機                ３…ＡＳＩＣ              ４…モデム部
５…リレー                ６…オフフック検知部      ７…画像読取部
８…画像形成部            ９…表示部                ９Ａ…ＯＫボタン
９Ｂ…クローズボタン      ９Ｃ…機能選択ボタン      ９Ｄ…詳細ボタン
１０…回線側ジャック      ２０…電話側ジャック      ５１…電話回線
５２…外付電話機          ５３…交換機
【図１】
2015195504.tif 000003
【図２】
2015195504.tif 000004
【図３】
2015195504.tif 000005
【図４】
2015195504.tif 000006
【図５】
2015195504.tif 000007
【図６】
2015195504.tif 000008
【図７】
2015195504.tif 000009
【図８】
2015195504.tif 000010